(57)【特許請求の範囲】
【請求項１】
底壁と、この底壁の縁部に連なる周壁とを備え、これら底壁、周壁によって取り囲まれた内側空間を内容物の収容空間とするカップ型容器であって、
前記底壁に、該底壁を貫く開口端を有し該開口端を通してディスペンサーの注出ノズルを着脱自在に嵌合させる嵌合部を設け、
該嵌合部は、内容物の吐出圧の上昇に伴って開放され、前記注出ノズルから排出される内容物を前記収容空間へと流し込む弁部を有し、
前記嵌合部は、前記収容空間内で前記底壁において起立する管状体と、この管状体の頂部に一体連結してその内側に前記注出ノズルの嵌合空間を形成する天板からなることを特徴とするカップ型容器。
【請求項２】
前記弁部は、前記嵌合部の側壁に設けられた少なくとも１つの切り込み状のスリットからなることを特徴とする請求項１に記載したカップ型容器。
【請求項３】
前記弁部は、前記嵌合部の側壁に形成され、前記収容空間と前記嵌合空間とを相互につなぐ開孔と、該嵌合部の外表面に密着状態で覆い被さり、内容物の吐出圧の上昇に伴うそれそのものの弾性変形にて該嵌合部の外表面との相互間に隙間を形成して該開孔と前記収容空間を連通させる弾性体よりなることを特徴とする請求項１に記載したカップ型容器。
【発明の詳細な説明】
【技術分野】
【０００１】
本発明は、環状周壁の上部開放端を飲み口とし、該周壁の下端に底壁を一体連結してその内側に内容物の収容空間を形成したカップ型容器に関するものである。
【背景技術】
【０００２】
平坦な底壁と、この底壁の縁部に連なる周壁とを備え、それらによって取り囲まれた内側空間を内容物の収容空間とするカップ型容器は、飲料や薬液あるいは調味液を入れる容器として分野を問わず幅広く利用されている。
【０００３】
この種のカップ型容器は、内容物の充填された容器を傾け、その口頚部を通して内容物を注ぎ入れるようにしているのが普通である。ところで、近年、内容物を充填した容器の大型化に伴い片手で該容器を把持して内容物を注ぎ入れる動作が困難となりつつある。
【０００４】
とくに、薬液や調味液等の内容物をカップ型容器に注ぎ入れるに当たっては、内容物を充填した容器を一度だけ傾けて規定分量の内容物を注出するのは難しいのが現状である。
【０００５】
この点に関する先行技術として、例えば、特許文献１には、ディスペンサー（可動計量部Ｃ）の先端部に計量カップを取り付け、該ディスペンサーを上下に作動させるだけの操作によって容器内の内容物を計量カップ内に適量取り出すようにした、液体定量注出容器が開示されている。
【先行技術文献】
【特許文献】
【０００６】
【特許文献１】特許第３６６７４９７号明細書
【発明の概要】
【発明が解決しようとする課題】
【０００７】
かかる液体定量注出容器においては、容器そのものを持ち上げて傾動させる面倒な動作を不要とする利点があるものの、ディスペンサーと計量カップが一体連結した構造からなっているため、計量カップ内の内容物を取り出すには、容器そのものを持ち上げて計量カップとともに傾動させる必要であり、使い勝手よいとはいえないものであって、未だ改善の余地が残されている。
【０００８】
本発明の課題は、容器内に充填された内容物を、該容器を傾動させることなしに、しかも、片手による操作で簡便に内容物を注ぎ込むことができるカップ型容器を提案するところにある。
【課題を解決するための手段】
【０００９】
本発明は、底壁と、この底壁の縁部に連なる周壁とを備え、これら底壁、周壁によって取り囲まれた内側空間を内容物の収容空間とするカップ型容器であって、前記底壁に、該底壁を貫く開口端を有し該開口端を通してディスペンサーの注出ノズルを着脱自在に嵌合可能とする嵌合部を設け、該嵌合部は、内容物の吐出圧の上昇に伴って開放され、前記注出ノズルから排出される内容物を前記収容空間へと流し込む弁部を有し、前記嵌合部は、前記収容空間内で前記底壁において起立する管状体と、この管状体の頂部に一体連結してその内側に前記注出ノズルの嵌合空間を形成する天板からなることを特徴とするカップ型容器である。
【００１０】
上記の構成からなるカップ型容器においては、
１）弁部を、前記嵌合部の側壁に設けられた少なくとも１つの切り込み状のスリットにて構成すること、
２）弁部を、嵌合部の側壁に形成され、収容空間と嵌合空間とを相互につなぐ開孔と、該嵌合部の外表面に密着状態で覆い被さり、内容物の吐出圧の上昇に伴うそれそのものの弾性変形にて該嵌合部の外表面との相互間に隙間を形成して該開孔と収容空間を連通させる虫ゴムの如き弾性体にて構成すること、
が本発明の課題解決のための具体的手段として好ましい。
【発明の効果】
【００１１】
本発明のカップ型容器によれば、底壁に、該底壁を貫く開口端を有し該開口端を通してディスペンサーの注出ノズルを着脱自在に嵌合可能な嵌合部を設けるとともに、該嵌合部に、内容物の吐出圧の上昇に伴って開放され、前記注出ノズルから排出される内容物を前記収容空間へと流し込む弁部を形成したので、内容物を充填した容器を傾けるような動作を伴うことなしに片手で内容物を注ぎ込むことができる。また、嵌合部を起点にしてディスペンサーから切り離すことが可能であるため、注出された内容物を取り出すに当たっては内容物が充填された容器を傾動させる必要がない。
【００１２】
また、本発明によるカップ型容器によれば、嵌合部を、収容空間内で前記底壁において起立する管状体と、この管状体の頂部に一体連結して該管状体と協働してその内側に注出ノズルの嵌合空間を形成する天板にて構成したため、カップ型容器そのものを一部材で構成することができ、構造の簡素化が可能となる。
【００１３】
また、本発明によるカップ型容器によれば、弁部を、前記嵌合部の側壁を少なくとも１箇所において切り込んだスリットにて構成したため、内容物の吐出圧が上昇するとき以外に該スリットが開放することがなく、内容物の漏れを確実に回避することができる。
【００１４】
また、本発明によるカップ型容器によれば、弁部を、嵌合部の側壁に形成され、収容空間と嵌合空間とを相互につなぐ開孔と、該嵌合部の外表面に密着状態で覆い被さり、内容物の吐出圧の上昇に伴うそれそのものの弾性変形にて該嵌合部の外表面との相互間に隙間を形成して該開孔と収容空間を連通させる虫ゴムの如き弾性体にて構成したため、内容物の吐出圧が上昇するとき以外に開孔と収容空間とが連通することはく、注ぎ込まれた内容物を収容空間に確実に保持することができる。
【図面の簡単な説明】
【００１５】
【図１】本発明に従うカップ型容器の実施の形態を断面について模式的に示した図である。
【図２】押圧ヘッド式のディスペンサーを備えた容器の構成を示した図である。
【図３】押圧ヘッド式のディスペンサーを備えた容器において内容物を注出している状況を示した図である。
【図４】本発明に従うカップ型容器に内容物を注ぎ入れる要領説明図である。
【図５】本発明に従うカップ型容器に内容物を注ぎ入れる要領説明図である。
【図６】本発明に従うカップ型容器の他の実施の形態を示した図である。
【発明を実施するための形態】
【００１６】
以下、図面を用いて本発明をより具体的に説明する。
図１は、本発明に従うカップ型容器（合成樹脂等で成形される）の実施の形態を模式的に示した図である。
【００１７】
図における符号１は、カップ型容器の底壁である。この底壁１は、例えば、平面形状になる円形になるものが適用されるが、その形状についてはとくに限定されない。また、２は、底壁１の縁部に一体的に連なる周壁、３は、周壁２の上端部に水平配置にして設けられたフランジである。
【００１８】
本発明に従うカップ型容器は、底壁１と周壁２によって取り囲まれた内側空間を内容物の収容空間Ｍとするものであって、フランジ３が設けられた上部開放端が飲み口となる。
【００１９】
また、４は、底壁１の中央部に設けられた嵌合部である。この嵌合部４は、底壁１の部位においてそれを貫く開口端４ａが形成されている。この開口端４ａを通して後述するディスペンサーの注出ノズルを着脱自在に嵌合することができるようになっており、収容空間Ｍ内で該底壁１において起立する先端先細り形状をなす管状体４ｂと、この管状体４ｂの頂部に一体連結してその内側に嵌合空間Ｋを形成する天板４ｃから構成されている。
【００２０】
また、５は、内容物の吐出圧の上昇に伴って開放され、注出ノズルから排出される内容物を収容空間Ｍへと流し込む弁部である。この弁部５は、その外観斜視図を図１に示すように、嵌合部４の側壁（管状体４ｂの壁部）を少なくとも１箇所において切り込んだスリットからなるものを例として示してある。
【００２１】
図２は、本発明に従う上記構成のカップ型容器に適用して好適な押圧ヘッド式のディスペンサーを、内容物を充填した容器（ボトル）の口頚部に装着した状態で示した図である。
【００２２】
同図における符号６は、内容物を充填した容器（ボトル）、７は、容器６の口頚部にねじあるいはアンダーカットの如き係合手段にて着脱自在に固定保持されるベースキャップ、８は、ベースキャップ７に吊り下げ保持され、容器６内に充填された内容物を吸引管を通して吸引するとともに、吸引された内容物をシリンダー内で加圧、圧縮して注出ノズルより排出するポンプ機構、９は、ポンプ機構８の中空ステム（図示しないスプリングの如き弾性部材にて支持されている）につながりベースキャップ７の上部において上下方向に往復移動可能な押圧ヘッドである。
【００２３】
この押圧ヘッド９は、ベースキャップ７の上部に位置する天板９aと、この天板９ａの縁部につながり、ベースキャップ７の周壁７aを取り囲む凹所を形成する周壁９ｂと、ベースキャップ７の天面に当接して押圧ヘッド９の下限の位置決めを行うストッパー９ｃから構成されており、天板９ａにはその中央部において起立する注出ノズル９ｄが設けられている（ノズル内には逆止弁が配置されている）。
【００２４】
かかるディスペンサーにおいては、押圧ヘッド９が、ポンプ機構８内に配置された弾性部材により中空ステムを介して弾性支持されているため、その初期姿勢は、図２に示す如く、該押圧ヘッド９の移動可能範囲の最上限に位置している。この状態で図３に示す如く押圧ヘッド９を押し込むと、ポンプ機構８のシリンダー内でピストンが下方に向けて移動し、これによりシリンダー内に存在する内容物が加圧、圧縮されることとなり、加圧、圧縮された内容物は、中空ステムの内部通路を経て注出ノズル９ｄのノズル孔９ｄ１から外界へと排出される。
【００２５】
押圧ヘッド９の押し込みにかかる力を取り除くと、弾性部材の復元力により該押圧ヘッド９は図２に示したような初期姿勢へと復帰し、このときシリンダー内でピストンが上方へと移動することとなり、これによりシリンダー内は負圧になり、吸引管を通して容器内の内容物の所定量がシリンダー内に吸引される。
【００２６】
上記のディスペンサーは、押圧ヘッド９の押し込みと押し込みにかかる力を解除する動作を繰り返すことにより容器内の内容物を連続的に排出することができるものである。
【００２７】
本発明に従うカップ型容器を用いて上掲図２、３に示したような構成からなるディスペンサーを備えた容器から内容物を注出するには、まず、図４に示すように、カップ型容器の嵌合部４をディスペンサーの注出ノズル９ｄに嵌合させる。
【００２８】
そして、次に、カップ型容器そのものを押し込む。かかる押し込み動作を繰り返し行うことにより、ディスペンサーの押圧ヘッド９は上下動することとなり、これにより図５に示すように、注出ノズル９ｄのノズル孔９ｄ１から排出された内容物は、弁部５を通って収容空間Ｍへと流れ込む。
【００２９】
このように、本発明に従うカップ型容器は、容器６内の内容物を片手により内容物を注ぎ込むことができるものであり、内容物が充填された容器６を持ち上げて傾動させるような動作は不要となる。カップ型容器は、それを上方に向けて引き上げるだけでディスペンサーの注出ノズル９ｄとの嵌合状態を解除することができる。
【００３０】
また、ディスペンサーの１回の押し込みによって排出される内容物の量を予め把握しておくことにより、定量注出が可能であって、使い勝手も著しく改善される。
【００３１】
図６は、本発明に従うカップ型容器の他の実施の形態を示した図である。この例は、弁部５を、嵌合部４の側壁に形成され、収容空間Ｍと、嵌合空間Ｋとを相互につなぐ少なくとも１つの開孔１０（この例では、開孔１０を向かい合わせてで２つ設けたものを例として示してある）と、該嵌合部４の密着状態で覆い被さり、内容物の吐出圧の上昇に伴う弾性変形にて該嵌合部の外表面との相互間に隙間を形成して該開孔１０と収容空間Ｍとを連通させる環状の弾性体（虫ゴム等）１１とによって構成したものである。
【００３２】
かかる構造の弁部を有するカップ型容器においては、環状の弾性体１１が嵌合部４の管状体４ｂの周りに密着状態で覆い被さっているため、液密性をより一層高めることができる利点がある。なお、該環状の弾性体１１については、この例では、上部が開放されたものとして示したが、嵌合部４の天板４ｃを覆う袋状の弾性体１１を適用してもよい。
【産業上の利用可能性】
【００３３】
片手による押し込み操作でもって内容物の注ぎ込みが行え、内容物を充填した容器との切り離しを可能とした使い勝手のよいカップ型容器が提供できる。
【符号の説明】
【００３４】
１      底壁
２      周壁
３      フランジ
４      嵌合部
４ａ    開口端
４ｂ    管状体
４ｃ    天板
５      弁部
６      容器（ボトル）
７      ベースキャップ
８      ポンプ機構
９      押圧ヘッド
９ａ    天板
９ｂ    周壁
９ｃ    ストッパー
９ｄ    注出ノズル
１０    開孔
１１    環状の弾性体（虫ゴム等）
Ｍ      収容空間
Ｎ      注出ノズル
【図１】
0005883666.tif 000002
【図２】
0005883666.tif 000003
【図３】
0005883666.tif 000004
【図４】
0005883666.tif 000005
【図５】
0005883666.tif 000006
【図６】
0005883666.tif 000007